(57)【特許請求の範囲】
【請求項１】
加減圧手段と圧力検出手段を備えた血圧計本体と、外側に該血圧計本体との結合フックを持つ湾曲板と該湾曲板の内側に配置される空気室とを備え前記血圧計本体に取り付けられると共に人体を圧迫して動脈の血流を阻止する阻血カフよりなる一体型血圧計において、前記結合フックの背面部の少なくとも一箇所を前記血圧計本体に対して外部から着脱可能な係止部材により固定したことを特徴とする一体型血圧計。
【請求項２】
前記結合フックが同一方向を向いてなることを特徴とする請求項１記載の一体型血圧計。
【発明の詳細な説明】
【０００１】
【発明の属する技術分野】
本発明は血圧計本体と阻血カフが一体となった一体型血圧計に関し、特に血圧計本体と阻血カフの結合方法に関する。
【０００２】
【従来の技術】
従来より阻血用カフと本体が一体化された血圧計が開発されている。図３〜図５に基づき従来技術を説明する。図３は結合フックのみで阻血カフと本体を結合したもの、図４は結合フックと固定ネジにより阻血カフと本体を結合したものであり、図５は図４の断面図である。
【０００３】
図３に示すように血圧計本体は上ケース１と下ケース２とから構成され、内部には図示しないが圧力センサ、回路基板、表示器、加減圧装置等が配置される。下ケース２には阻血カフ３の結合フック３１が通る結合穴２１、阻血カフ３内の空気室３５と血圧計本体内の圧力センサ、加減圧装置を接続するエアコネクタ３２を通すコネクタ穴２２が空いている。阻血カフ３と血圧計本体の結合は阻血カフ３内に収納された湾曲板（図示せず）から突出した複数の結合フック３１を下ケース２の下面に設けた結合穴２１にはめ込むことにより行っていた。ここで複数の結合フック係止部は同一直線上でそれぞれ逆方向に向くようにされており、湾曲板及び結合フック３１の剛性により血圧計本体と阻血カフ３の結合力を得ていた。しかしこの方法によると特に阻血カフ３と血圧計本体の取り外しの際に大きな力を必要とし、最悪の場合には結合フック３１や結合穴２１を破損する問題があった。さらに結合フック３１のみによる固定のため固定力は十分でなく、使用時に不用意に血圧計本体と阻血カフ３が外れるという問題もあった。
【０００４】
上記問題を解決する方法が、特開平８−１９１８０４号公報に開示されている。以下図４及び図５を用いて説明する。この方法は結合フック３１を血圧計本体側部に設けた電池収納室２３内に設けることにより、阻血カフ３を外す際に外部から結合フック３１に直接力をかけられるようにする構造である。さらに図４に示す様に湾曲板３４から突出させた固定片３３を電池収納室２３内から固定ネジ４により血圧計本体に固定する方法も開示している。これにより血圧計本体に阻血カフ３を装着する際の力は小さくてよく、かつ使用時に不用意に血圧計本体と阻血カフ３が外れることも無い。
【０００５】
【発明が解決しようとする課題】
しかし、特開平８−１９１８０４号公報に開示されている方法では以下のような問題があった。すなわち電池収納室２３内にフックを設ける構造では結合フック３１が電池の奥に位置することになるため、カフ着脱の際には電池を外さなくてはならず、作業性が著しく悪い。また様々な被検部形状にフィットする阻血カフを提供するには阻血カフ全体が任意の形状になり得る必要があるが、結合フック３１間では湾曲板３４の曲率方向の形状が下ケース下面の形状に拘束されるため、この拘束部を極力少なくすなわち結合フックの間隔を極力狭くする必要がある。ところが片方の結合フックの位置を電池収納室に固定しさらに結合フック間隔を狭くしようとすると血圧計本体の中心からずれた位置に阻血カフを固定することになり被験者に違和感を与える形状となる。逆に血圧計本体の中心に阻血カフを固定しようとすると結合フックの間隔すなわち湾曲板の形状拘束部分が大きくなり、被検部形状がこの拘束された形状と異なる場合阻血カフと被検部に隙間が出来てしまい精度の高い測定が困難になってしまう。さらに電池収納室２３内からネジで止める方法では図５に示す様に固定ネジ４が挿入されるスペースが血圧計本体内に必要となり、血圧計本体の小型化に際しても障害になる。
【０００６】
本発明は上述した問題点を改良することを目的としており、血圧計本体と阻血カフの着脱を容易にしながら不用意に外れることがなく、かつ小型化が容易な血圧計本体と阻血カフとの結合方法を提供することにある。
【０００７】
【課題を解決するための手段】
前記問題点を解決するために、本発明の第一の発明は湾曲板に形成される複数の結合フックの背面部の少なくとも一箇所を血圧計本体に対して外部から着脱可能な係止部材により固定することを特徴とするものである。また、第二の発明は複数の結合フックを同一方向に向け、結合フックの背面部の少なくとも一箇所を係止部材により固定することを特徴とするものである。
【０００８】
本発明の構造により、阻血カフを血圧計本体に装着する際には阻血カフ内に収納された湾曲板から突出した結合フックを血圧計本体の下面部に設けられた結合穴に挿入し、その後係止部材により結合フック背面を固定することにより必要以上の力を結合フックや結合穴にかけることなく組立が可能であると共に結合状態では外部からの力で不用意に外れることがない。また係止部材を取り除くことにより血圧計本体から阻血カフを取り外すことも容易である。また結合フックを設ける場所に制約が無いため、結合フック間隔を狭くすることが出来、これにより様々な太さの腕や手首にフィットし精度の高い血圧計本体を提供することが出来る。さらに係止部材は血圧計本体の壁肉厚と同程度の厚さで成形可能であることから血圧計本体内に特別なスペースを必要とせず、ネジ止めをするのと比較して血圧計本体を小型化することが容易である。
【０００９】
【発明の実施の形態】
以下実施例を用いて本発明を詳細に説明する。図１は本発明の第一の実施形態を示す斜視図である。下ケース２の結合穴２１に阻血カフ３の結合フック３１をはめ込み、係止部材５を結合フック３１の背面を押さえる形で下ケース２に挿入することにより血圧計本体と阻血カフ３は確実に固定される。また係止部材５を外した後結合フック３１を結合穴２１から外すことで、容易に血圧計本体から阻血カフ３を取り外すことが出来る。
【００１０】
図２は第二の実施形態を示す斜視図である。本実施形態では結合フック３１が全て同一方向を向いており、このため結合フック３１の結合穴２１への結合を極めて容易に行うことが出来る。その後、係止部材５を結合フック３１の背面側へ挿入することにより血圧計本体と阻血カフ３は確実に固定される。また、第一の実施例と同様に係止部材５を外すことで、容易に血圧計本体と阻血カフ３を取り外すことが出来る。
【００１１】
【発明の効果】
以上述べた様に本発明の構造によると、血圧計本体と阻血カフの結合に際しては特に無理な力を必要とせず、かつ確実に結合できるため使用中に不用意に外れることが無い。しかも係止部材を取り外すことにより容易に血圧計本体と阻血カフを分解できるため、保守等の際に必要以上に大きな力をかける恐れが無いため、下ケースや結合フックを破損する心配も無い。また結合フックを設ける場所に制約が無いため、構造設計上自由度が大きくなり、様々な被検部形状にフィットしやすい形状を容易に達成することが出来る。さらに係止部材は血圧計本体の壁肉厚と同程度の厚さで成形可能であることから血圧計本体内に特別なスペースを必要とせず、ネジ止めをするのと比較して血圧計本体を小型化することが容易である。
【図面の簡単な説明】
【図１】本発明の第一の実施例を示す斜視図である。
【図２】  本発明の第二の実施例を示す斜視図である。
【図３】  従来例を示す斜視図である。
【図４】  従来例を示す斜視図である。
【図５】従来例を示す断面図である。
【符号の説明】
１  上ケース
１１  表示器
１２  操作スイッチ
２  下ケース
２１  結合穴
２２  コネクタ穴
２３  電池収納室
３  阻血カフ
３１  結合フック
３２  エアコネクタ
３３  固定片
３４  湾曲板
３５  空気室
４  固定ネジ
５  係止部材
【図１】
0004209566.tif 000002
【図２】
0004209566.tif 000003
【図３】
0004209566.tif 000004
【図４】
0004209566.tif 000005
【図５】
0004209566.tif 000006